(57)【要約】      （修正有）【課題】配送先などを示したラベル部材が貼付された段ボール箱等の収容容器から上記のラベル部材を剥離させる場合に、ラベル部材の一部が切断されて収容容器に残ったり、収容容器の一部が破断されたりするのを防止し、収容容器を繰り返して使用できるようにする貼付用補助ラベルを提供する。【解決手段】ラベル基材１１の裏面に粘着剤層１２が設けられると共に、ラベル基材の表面に剥離剤がまだら状に付与された剥離層１３が設けられた貼付用補助ラベル１０を用い、この貼付用補助ラベルをラベル基材裏面の粘着層により収容容器に貼付させると共に、ラベル基材表面の剥離層の上にラベル部材を剥離可能に貼付させた。【選択図】図１
0003153399.tif 000002
【実用新案登録請求の範囲】
【請求項１】
ラベル基材の裏面に粘着剤層が設けられると共に、ラベル基材の表面に剥離剤がまだら状に付与された剥離層が設けられてなることを特徴とする貼付用補助ラベル。
【請求項２】
請求項１に記載した貼付用補助ラベルにおいて、上記の剥離層に剥離剤が設けられていない部分が部分的に存在することを特徴とする貼付用補助ラベル。
【請求項３】
請求項２に記載した貼付用補助ラベルにおいて、ラベル基材の表面に設けられた上記の剥離層における剥離剤が設けられていない部分の面積比率が７〜７０％の範囲であることを特徴とする貼付用補助ラベル。
【請求項４】
請求項１〜請求項３の何れか１項に記載した貼付用補助ラベルにおいて、ラベル基材に印刷部が設けられていることを特徴とする貼付用補助ラベル。
【請求項５】
請求項１〜請求項４の何れか１項に記載した貼付用補助ラベルにおいて、ラベル基材の裏面の粘着層が収容容器に貼付されると共に、ラベル基材の表面の剥離層の上にラベル部材が剥離可能に貼付されることを特徴とする貼付用補助ラベル。
【考案の詳細な説明】
【技術分野】
【０００１】
この考案は、貼付用補助ラベルに関するものであり、各種の物品を収容させた段ボール箱等の収容容器に配送先などを示したラベル部材を貼付させ、この収容容器を配送先などに配送した後、収容容器に貼付されたラベル部材を剥離させる場合に、ラベル部材の一部が切断されて収容容器に残ったり、収容容器の一部が破断されたりするのを防止し、収容容器を繰り返して使用できるようにした点に特徴を有するものである。
【背景技術】
【０００２】
従来から、衣類、雑貨、電気製品、部品等の各種の物品を収容させた段ボール箱等の収容容器にバーコード、製品名、型番、配送先等が表示されたラベル部材を貼付させて、この収容容器を配送させることが行われている。
【０００３】
そして、このように収容容器を配送先に配送した後は、この収容容器に貼付された上記のラベル部材を収容容器から剥離させるようにしている。
【０００４】
ここで、このように収容容器に貼付されたラベル部材を収容容器から剥離させる場合、ラベル部材の一部が切断されて収容容器に残り、ラベル部材をうまく剥離させることができなくなったり、また段ボール箱等の紙製の収容容器の場合には、ラベル部材に引っ張られて収容容器の一部が破断されたりした。
【０００５】
この結果、このような収容容器を再利用することができなくなり、収容容器が無駄に消費されて材料コスト等が高くついたり、またこの収容容器を処分する際における処理費用も高くつく等の問題があった。
【０００６】
また、従来においては、特許文献１に示されるように、段ボール箱の表面にマレイミド重合体を主成分とする剥離剤を塗布し、このように剥離剤が塗布された段ボール箱の表面に上記のようなラベル部材を貼付させるようにし、貼付されたラベル部材を段ボール箱から剥離させる際に、ラベル部材の一部が切断されて段ボール箱に残ったり、段ボール箱の一部が破断されたりするのを防止するようにしたものが提案されている。
【０００７】
しかし、このように段ボール箱の表面自体に剥離剤を適切に塗布する作業は面倒であると共にコストも高くつき、またこのように全体的に剥離剤が塗布された部分にラベル部材を貼付させた場合、段ボール箱の表面に対するラベル部材の貼着力が弱くなって、ラベル部材が段ボール箱の表面から剥離しやすくなり、段ボール箱を配送する途中において、このラベル部材が段ボール箱の表面から剥がれ落ちるという問題もあった。
【０００８】
また、従来においては、特許文献２に示されるように、上記のようなラベル部材に代えて、輸送用容器の外側面に、バーコードや行き先等の可視情報を磁気的又は熱的に書き換え可能になった表示媒体が設けられた情報表示板を固定させるようにしたものも提案されている。
【０００９】
しかし、磁気的又は熱的に書き換え可能になった表示媒体が設けられた情報表示板はコストが高くつくと共に、この情報表示板の表示媒体に対して情報の書き換えを行う作業も非常に面倒であり、さらにこの輸送用容器を配送する途中において、上記の情報表示板における表示媒体が傷ついたり、熱や磁石によって情報が見えなくなったりする等の問題があった。
【先行技術文献】
【特許文献】
【００１０】
【特許文献１】実用新案登録第３０１５６７２号公報
【特許文献２】特開平１１−３４８９９７号公報
【考案の開示】
【考案が解決しようとする課題】
【００１１】
この考案は、各種の物品を収容させた段ボール箱等の収容容器に配送先などを示したラベル部材を貼付させ、この収容容器を配送先などに配送した後、収容容器に貼付されたラベル部材を剥離させる場合に、ラベル部材の一部が切断されて収容容器に残ったり、収容容器の一部が破断されたりするのを防止し、収容容器を繰り返して使用できるようにすることを課題とするものである。
【課題を解決するための手段】
【００１２】
この考案においては、上記のような課題を解決するため、ラベル基材の裏面に粘着剤層が設けられると共に、ラベル基材の表面に剥離剤がまだら状に付与された剥離層が設けられた貼付用補助ラベルを用いるようにした。
【００１３】
ここで、この貼付用補助ラベルにおいて、ラベル基材の表面に剥離剤がまだら状に付与された剥離層を設けるにあたっては、剥離層に剥離剤が設けられていない部分が部分的に存在するように設けることが好ましい。
【００１４】
そして、このように剥離剤がまだら状に付与された剥離層や、剥離剤が設けられていない部分が部分的に存在する剥離層をラベル基材の表面に設けるにあたっては、このような剥離層をラベル基材の表面の全面に設けるようにする他、ラベル基材の表面の一部、例えば、ラベル部材が貼付されるラベル基材の表面の部分に設けるようにすることもできる。
【００１５】
また、このように剥離層に剥離剤が設けられていない部分が部分的に存在するように剥離層を設けるにあたり、上記の剥離剤が設けられていない部分の面積比率が小さくなりすぎると、貼付用補助ラベルの上に貼付されたラベル部材が剥離されやすくなって、収容容器を配送する途中において、ラベル部材が貼付用補助ラベルから剥がれ落ちやすくなる。一方、上記の剥離剤が設けられていない部分の面積比率が大きくなりすぎると、この貼付用補助ラベルの上にラベル部材を貼付させた場合、このラベル部材が貼付用補助ラベルから剥離されにくくなり、ラベル部材が破れてその一部が貼付用補助ラベルに残ったりする。このため、上記の剥離層において、剥離剤が設けられていない部分の面積比率を７〜７０％の範囲にすることが好ましく、より好ましくは１０〜５５％の範囲になるようにする。
【００１６】
また、この貼付用補助ラベルにおいては、上記のラベル基材に印刷部を設け、収容容器に収容されている物品等の情報を表示させるようにすることもできる。
【００１７】
そして、この貼付用補助ラベルを使用するにあたっては、ラベル基材の裏面に設けられた粘着層によってこの貼付用補助ラベルを収容容器に貼付させると共に、ラベル基材の表面に設けられた剥離層の上にラベル部材を剥離可能に貼付させるようにする。
【考案の効果】
【００１８】
この考案のように、ラベル基材の裏面に粘着剤層が設けられると共に、ラベル基材の表面に剥離剤がまだら状に付与された剥離層が設けられた貼付用補助ラベルを用い、ラベル基材の裏面に設けられた粘着層によってこの貼付用補助ラベルを収容容器に貼付させると共に、ラベル基材の表面に設けられた剥離層の上にラベル部材が剥離可能に貼付させるようにすると、ラベル部材が上記の貼付用補助ラベルから適切に剥離されるようになり、ラベル部材を収容容器から剥離させる際に、従来のように、ラベル部材が破れてその一部が収容容器に残ったり、収容容器の一部が破断されたりするのが防止される。
【００１９】
この結果、上記の貼付用補助ラベルに貼付させるラベル部材を変更させて、収容容器を何度も繰り返して使用できるようになり、収容容器が無駄に消費されて、材料コスト等が高くつくということがなくなると共に、収容容器を処分する際における処理費用も低減される。
【００２０】
また、この貼付用補助ラベルにおいて、上記のラベル基材に印刷部を設け、収容容器に収容されている物品等の情報を表示させるようにすると、上記のようにラベル部材をこの貼付用補助ラベルから剥離させた場合、この貼付用補助ラベルにおける印刷部に示された物品等の情報の表示が現れ、収容容器に収容された物品等の情報を、この貼付用補助ラベルによって簡単に確認できるようになり、この貼付用補助ラベルを収容容器に貼付させた状態で、この収容容器を保管し、管理することができるようになると共に、収容容器から物品を取り出してこの収容容器が空になった場合においても、この収容容器がどのような物品を収容させる容器であるかが容易に分かり、この収容容器を繰り返して使用することがスムーズに行えるようになる。
【図面の簡単な説明】
【００２１】
【図１】この考案の一実施形態に係る貼付用補助ラベルを示した概略断面図である。
【図２】上記の実施形態に係る貼付用補助ラベルの概略平面図である。
【図３】上記の実施形態に係る貼付用補助ラベルにおいて、（Ａ），（Ｂ）は、それぞれラベル基材の表面に設ける剥離層の平面状態を変更させた変更例の概略平面図である。
【図４】上記の実施形態に係る貼付用補助ラベルを収容容器の適当な位置に貼付させた状態を示した概略斜視図である。
【図５】上記の実施形態において、収容容器に貼付された貼付用補助ラベルの上に貼付させるラベル部材の一例を示し、（Ａ）は概略平面図、（Ｂ）は概略底面図である。
【図６】上記の実施形態において、収容容器に貼付された貼付用補助ラベルの上にラベル部材を貼付させた状態を示した概略斜視図である。
【図７】上記の実施形態に係る貼付用補助ラベルにおいて、ラベル基材に収容容器内に収容させた物品等の情報を示した印刷部を設けた状態を示した概略平面図である。
【図８】上記の実施形態において、ラベル基材に収容容器内に収容させた物品等の情報を示した印刷部を設けた貼付用補助ラベルを収容容器の適当な位置に貼付させた状態を示した概略斜視図である。
【考案を実施するための最良の形態】
【００２２】
以下、この考案の実施形態に係る貼付用補助ラベルを添付図面に基づいて具体的に説明する。なお、この考案に係る貼付用補助ラベルは、下記の実施形態に示したものに限定されるものではなく、その要旨を変更しない範囲において適宜変更して実施できるものである。
【００２３】
この実施形態における貼付用補助ラベル１０においては、図１及び図２に示すように、長方形状になったラベル基材１１の裏面に粘着剤層１２を設けると共に、このラベル基材１１の表面に剥離剤がまだら状に付与された剥離層１３を設け、この剥離層１３に剥離剤が設けられていない部分１３ａが部分的に存在するようにし、この貼付用補助ラベル１０を、ラベル基材１１の裏面に設けた粘着剤層１２により剥離シート１４の上に剥離可能に貼付させている。なお、ラベル基材１１の表面における上記の剥離層１３において、剥離剤が設けられていない部分１３ａの面積比率を、上記のように７〜７０％の範囲にすることが好ましく、より好ましくは１０〜５５％の範囲にする。
【００２４】
ここで、この貼付用補助ラベル１０においては、長方形状になったラベル基材１１を用いるようにしたが、ラベル基材１１の形状や大きさは特に限定されず、この貼付用補助ラベル１０を貼付させる収容容器１や、この貼付用補助ラベル１０に貼付させるラベル部材２に応じて適宜変更することができる。
【００２５】
また、上記のラベル基材１１としては、一般のラベルに使用されているものと同様のものを用いることができ、このラベル基材１１は透明であっても、不透明であっても、また着色されていてもよく、例えば、コートタック紙等を用いることができる。
【００２６】
また、上記の粘着剤層１２に用いる粘着剤としては、一般のラベルに使用されているのと同様の粘着剤を用いることができ、例えば、アクリルエマルジョン系粘着剤等を用いることができる。
【００２７】
また、この貼付用補助ラベル１０において、ラベル基材１１の表面に設ける剥離層１３の材料としては、上記の粘着剤に対して剥離性を有する材料を用いるようにし、例えば、シリコーン系樹脂等を用いることができる。
【００２８】
そして、ラベル基材１１の表面に、剥離剤が設けられていない部分１３ａが部分的に存在するようにして剥離層１３を設けるにあたっては、上記のシリコーン系樹脂等の樹脂液を、フレキソ印刷や凸版印刷やシルクスクリーン印刷等によって上記のラベル基材１１の表面に塗布し、このように塗布された樹脂液を硬化させて剥離層１３を設けるようにする。ここで、上記のように塗布された樹脂液を硬化させるにあたり、この樹脂液の硬化が速やかに行われるようにするため、上記の樹脂としては、紫外線等で硬化する光硬化性樹脂を用いることが好ましい。
【００２９】
また、上記のようにラベル基材１１の表面において、剥離剤が設けられていない部分１３ａが所定の面積比率になるようにして剥離層１３を設けるにあたっては、図２及び図３（Ａ），（Ｂ）に示すように、剥離剤が設けられていない部分１３ａが剥離層１３の全面にわたり部分的に存在するように設けることが好ましく、図２及び図３（Ａ），（Ｂ）に示す例では、剥離剤が設けられていない部分１３ａが、剥離層１３が設けられるラベル基材１１の表面の全面にわたり略均等に存在するようにしている。ここで、図２に示す例では、剥離剤が設けられていない部分１３ａが均一に散点状に分散されて存在するようにしたが、図３（Ａ）に示すように、点状になった剥離層１３をラベル基材１１の表面全面にわたって多数設け、点状になった剥離層１３の間に剥離剤が設けられていない部分１３ａが連続して設けられるようにしたり、図３（Ｂ）に示すように、剥離剤が設けられていない部分１３ａが網目状に存在するようにしたりする等、様々な状態にすることができる。
【００３０】
ここで、この貼付用補助ラベル１０を使用するにあたっては、この貼付用補助ラベル１０から上記の剥離シート１４を剥離させ、図４に示すように、段ボール等で構成された収容容器１の適当な位置に、上記の粘着剤層１２によってこの貼付用補助ラベル１０を貼付させる。
【００３１】
そして、図５（Ａ），（Ｂ）に示すように、表面に配送先の住所等の表示部２ａが設けられると共に、裏面に粘着剤層２ｂが設けられたラベル部材２を収容容器１に貼付させるにあたっては、図６に示すように、収容容器１の適当な位置に貼付された上記の貼付用補助ラベル１０の表面における剥離層１３の上に、ラベル部材２の粘着剤層２ｂを貼着させて、ラベル部材２を上記の貼付用補助ラベル１０の上に貼付させ、この状態で上記の収容容器１を配送させる。
【００３２】
そして、収容容器１が配送された後、上記のラベル部材２を貼付用補助ラベル１０から剥離させるようにする。この時、ラベル部材２は、貼付用補助ラベル１０に設けられた剥離層１３により、貼付用補助ラベル１０から適切に剥離されるようになり、従来のようにラベル部材２が破れてその一部が収容容器１に残ったり、収容容器１の一部が破断されたりするのが防止される。
【００３３】
そして、上記の収容容器１内から収容物（図示せず）を取り出した後、上記の貼付用補助ラベル１０に貼付させるラベル部材２を変更させて、収容容器１を何度も繰り返して使用することができる。
【００３４】
また、図７に示すように、上記の貼付用補助ラベル１０におけるラベル基材１１に収容容器１内に収容させた物品等の情報を示した印刷部１１ａを設けると共に、上記の剥離層１３を透明な材料で構成すると、上記のようにラベル部材２をこの貼付用補助ラベル１０から剥離させた場合、図８に示すように、透明な剥離層１３を通して上記の印刷部１１ａに表示された内容を見ることができ、収容容器１に収容された物品等の情報を、この貼付用補助ラベル１０によって確認することができ、貼付用補助ラベル１０を収容容器１に貼付させた状態で、この収容容器１を物品が収容された状態で保管し、管理することもできるようになる。
【符号の説明】
【００３５】
１  収容容器
２  ラベル部材
２ａ  表示部
２ｂ  粘着剤層
１０  貼付用補助ラベル
１１  ラベル基材
１１ａ  印刷部
１２  粘着剤層
１３  剥離層
１３ａ  剥離剤が設けられていない部分
１４  剥離シート
【図１】
0003153399.tif 000003
【図２】
0003153399.tif 000004
【図３】
0003153399.tif 000005
【図４】
0003153399.tif 000006
【図５】
0003153399.tif 000007
【図６】
0003153399.tif 000008
【図７】
0003153399.tif 000009
【図８】
0003153399.tif 000010